(57)【要約】 【課題】身体の柔軟性を高めることができる旋回角度測定装置、旋回角度測定方法、及び軸足を決定することができる軸足測定方法を提供する。【解決手段】身体の旋回角度を測定するための旋回角度測定装置１０であって、身体が接触した状態で中心軸の軸回りに回転する上部回転部材１２と、上部回転部材１２を中心軸２２の軸回りに回転可能に支持する下部支持部材１４と、下部支持部材１４に設けられ上部回転部材１２の回転角度目盛３２を備えた回転角度目盛部材３０と、上部回転部材１２に設けられ上部回転部材１２の中心軸２２の軸回りの回転と共に回転して回転角度目盛３２の所定の位置を示す回転角度指示部材２８と、を有する。【選択図】      図１
2014076068.tif 000002
【特許請求の範囲】
【請求項１】
身体の旋回角度を測定するための旋回角度測定装置であって、
身体が接触した状態で中心軸の軸回りに回転する回転部材と、
前記回転部材を中心軸の軸回りに回転可能に支持する支持部材と、
前記支持部材に設けられ前記回転部材の回転角度目盛を備えた回転角度目盛部材と、
前記回転部材に設けられ前記回転部材の中心軸の軸回りの回転と共に回転して前記回転角度目盛の所定の位置を示す回転角度指示部材と、
を有することを特徴とする旋回角度測定装置。
【請求項２】
前記支持部材は、
前記回転部材の中心軸の軸回りの回転の際に前記回転角度指示部材に押圧されて前記回転角度目盛部材上を移動するとともに、前記回転角度目盛の所定の位置で停止する回転角度記録部材と、
前記回転角度記録部材の移動を許容するガイド孔と、
を有することを特徴とする請求項１に記載の旋回角度測定装置。
【請求項３】
前記回転部材の所定の回転角度以上の回転を規制するための固定部材を備えたことを特徴とする請求項１に記載の旋回角度測定装置。
【請求項４】
前記支持部材は、
前記回転部材の中心軸の軸回りの回転の際に前記回転角度指示部材に押圧されて前記回転角度目盛部材上を移動するとともに、前記回転角度目盛の所定の位置で停止する回転角度記録部材と、
前記回転角度記録部材の移動を許容するガイド孔と、
を有し、
前記固定部材は、前記回転角度記録部材を兼ねることを特徴とする請求項３に記載の旋回角度測定装置。
【請求項５】
前記回転部材の回転角度を検出する回転角度検出手段と、
前記回転角度検出手段で検出された前記回転部材の回転角度に関するデータを記憶する記憶手段と、
を有し、
前記回転角度検出手段で検出された前記回転部材の回転角度に関するデータを印刷手段で印刷することを特徴とする請求項１乃至４のいずれか１項に記載の旋回角度測定装置。
【請求項６】
前記回転部材に着脱可能に設けられ、身体の一部を前記回転部材に固定するためのアタッチメントを備えたことを特徴とする請求項１乃至５のいずれか１項に記載の旋回角度測定装置。
【請求項７】
請求項１乃至６のいずれか１項に記載の旋回角度測定装置を用いて身体の旋回角度を測定する旋回角度測定方法であって、
背筋を伸ばしかつ膝を曲げない体勢で前記回転部材に左右のいずれかの足を載せて前記回転部材を足と共に回転させ、股関節の旋回角度を測定することを特徴とする旋回角度測定方法。  
【請求項８】
請求項１乃至６のいずれか１項に記載の旋回角度測定装置を用いて身体の旋回角度を測定する旋回角度測定方法であって、
前記回転部材に左右のいずれかの肩部を接触させた状態で前記回転部材を肩部と共に回転させ、肩関節の屈曲時、伸展時、外転時、内転時、外旋時、内旋時の旋回角度を測定することを特徴とする旋回角度測定方法。
【請求項９】
請求項１乃至６のいずれか１項に記載の旋回角度測定装置を用いて身体の旋回角度を測定する旋回角度測定方法であって、
前記回転部材に左右のいずれかの手を接触させた状態で前記回転部材を手と共に回転させ、尺骨の旋回角度を測定することを特徴とする旋回角度測定方法。
【請求項１０】
請求項１乃至６のいずれか１項に記載の旋回角度測定装置を用いて身体の旋回角度を測定する旋回角度測定方法であって、
前記回転部材を頭頂部に載せた状態で前記回転部材を頭頂部及び首部と共に回転させ、頸椎及び胸腰部の旋回角度を測定することを特徴とする旋回角度測定方法。
【請求項１１】
請求項１乃至６のいずれか１項に記載の旋回角度測定装置を用いて軸足を決定する軸足測定方法であって、
背筋を伸ばしかつ膝を曲げない体勢で前記回転部材に左右のいずれかの足を載せて前記回転部材を足と共に外旋回及び内旋回し、前記外旋回の最大外旋回角度及び前記内旋回の最大内旋回角度を測定し、
前記外旋回の最大外旋回角度と前記内旋回の最大内旋回角度を合算し、
左右の足のうち、前記外旋回の最大外旋回角度と前記内旋回の最大内旋回角度を合算した値が大きい側の足を軸足に決定することを特徴とする軸足測定方法。
【発明の詳細な説明】
【技術分野】
【０００１】
本発明は、例えば、身体各部の旋回角度を測定するための旋回角度測定装置及び旋回角度測定方法、並びに軸足を決定するための軸足測定方法に関する。
【背景技術】
【０００２】
スポーツ競技では、身体の筋肉量の他に、関節などの身体の各部位に高い柔軟性が要求されている。例えば、厳しいトレーニングによって筋肉量を大幅に増加させることができても、身体の柔軟性がなければ、アスリートが想定しているように身体が動かないばかりか、大怪我をしてしまう可能性がある。このため、スポーツ競技を行うアスリートは、筋肉量を増大させるとともに、いかにして身体の柔軟性を高めるかが大きな課題になる。
【０００３】
従来では、身体に負荷をかけて筋肉量を増大する装置は存在するが、身体を柔軟にしたり、あるいは身体の柔軟性を知ることができるための装置は、ほとんど存在していなかった。
【０００４】
このように現状では、身体の柔軟性を高めるために、スポーツトレーナーがアスリートの柔軟体操等をサポートすることで、対応している。
【先行技術文献】
【特許文献】
【０００５】
【特許文献１】特開平６−１８５９５５号公報
【発明の概要】
【発明が解決しようとする課題】
【０００６】
しかしながら、スポーツトレーナーの手を借りた柔軟体操には限度がある。常に、スポーツトレーナーの手助けが必要になるため、スポーツトレーナーに大きな負担がかかったり、あるいは柔軟体操を行う時期・場所が制限されることがある。このため、身体の柔軟性を高める効果はそれほど期待できなかった。
【０００７】
そこで、本発明は、上記問題点を解決するために、身体の柔軟性を高めることができる旋回角度測定装置、旋回角度測定方法、及び軸足を決定することができる軸足測定方法を提供することを目的とする。
【課題を解決するための手段】
【０００８】
本発明は、身体の旋回角度を測定するための旋回角度測定装置であって、身体が接触した状態で中心軸の軸回りに回転する回転部材と、前記回転部材を中心軸の軸回りに回転可能に支持する支持部材と、前記支持部材に設けられ前記回転部材の回転角度目盛を備えた回転角度目盛部材と、前記回転部材に設けられ前記回転部材の中心軸の軸回りの回転と共に回転して前記回転角度目盛の所定の位置を示す回転角度指示部材と、を有することを特徴とする。
【０００９】
前記支持部材は、前記回転部材の中心軸の軸回りの回転の際に前記回転角度指示部材に押圧されて前記回転角度目盛部材上を移動するとともに、前記回転角度目盛の所定の位置で停止する回転角度記録部材と、前記回転角度記録部材の移動を許容するガイド孔と、を有することが好ましい。
【００１０】
前記回転部材の所定の回転角度以上の回転を規制するための固定部材を備えたことが好ましい。
【００１１】
前記支持部材は、前記回転部材の中心軸の軸回りの回転の際に前記回転角度指示部材に押圧されて前記回転角度目盛部材上を移動するとともに、前記回転角度目盛の所定の位置で停止する回転角度記録部材と、前記回転角度記録部材の移動を許容するガイド孔と、を有し、前記固定部材は、前記回転角度記録部材を兼ねることが好ましい。
【００１２】
前記回転部材の回転角度を検出する回転角度検出手段と、前記回転角度検出手段で検出された前記回転部材の回転角度に関するデータを記憶する記憶手段と、を有し、前記回転角度検出手段で検出された前記回転部材の回転角度に関するデータを印刷手段で印刷することが好ましい。
【００１３】
前記回転部材に着脱可能に設けられ、身体の一部を前記回転部材に固定するためのアタッチメントを備えたことが好ましい。
【００１４】
本発明は、上記各旋回角度測定装置を用いて身体の旋回角度を測定する旋回角度測定方法であって、脊椎を真っ直ぐに伸ばし（背筋を伸ばして）かつ膝を曲げない体勢で前記回転部材に左右のいずれかの足を載せて前記回転部材を足と共に回転させ、股関節の旋回角度を測定することを特徴とする。
【００１５】
本発明は、上記各旋回角度測定装置を用いて身体の旋回角度を測定する旋回角度測定方法であって、前記回転部材に左右のいずれかの肩部を接触させた状態で前記回転部材を肩部と共に回転させ、肩関節の屈曲時、伸展時、外転時、内転時外旋時、内旋時の旋回角度を測定することを特徴とする。
【００１６】
本発明は、上記各旋回角度測定装置を用いて身体の旋回角度を測定する旋回角度測定方法であって、前記回転部材に左右のいずれかの手を接触させた状態で前記回転部材を手と共に回転させ、尺骨の旋回角度を測定することを特徴とする。
【００１７】
本発明は、上記各旋回角度測定装置を用いて身体の旋回角度を測定する旋回角度測定方法であって、前記回転部材を頭頂部に載せた状態で前記回転部材を頭頂部及び首部と共に回転させ、頸椎及び胸腰部の旋回角度を測定することを特徴とする。
【００１８】
本発明は、上記各旋回角度測定装置を用いて軸足を決定する軸足測定方法であって、脊椎を真っ直ぐに伸ばし（背筋を伸ばして）かつ膝を曲げない体勢で前記回転部材に左右のいずれかの足を載せて前記回転部材を足と共に外旋回及び内旋回し、前記外旋回の最大外旋回角度及び前記内旋回の最大内旋回角度を測定し、前記外旋回の最大外旋回角度と前記内旋回の最大内旋回角度を合算し、左右の足のうち、前記外旋回の最大外旋回角度と前記内旋回の最大内旋回角度を合算した値が大きい側の足を軸足に決定することを特徴とする。
【発明の効果】
【００１９】
本発明によれば、身体の柔軟性を高めることができる。加えて、自身の軸足を特定することができる。
【図面の簡単な説明】
【００２０】
【図１】本発明の第１実施形態に係る旋回角度測定装置（左足用）と旋回角度測定装置（右足用）を並べて設置した状態の平面図である。
【図２】本発明の第１実施形態に係る旋回角度測定装置の内部の構造を示した説明図である。
【図３】本発明の第１実施形態に係る旋回角度測定装置の回転角度目盛部材及び回転角度目盛の一部を拡大した部分的な平面図である。
【図４】本発明の第１実施形態に係る旋回角度測定装置の内部の一部を拡大した部分的な説明図である。
【図５】本発明の第１実施形態に係る身体のバランス矯正装置の一例の概念図である。
【図６】本発明の第１実施形態に係る身体のバランス矯正装置の一例の概念図である。
【図７】本発明の第１実施形態に係る身体のバランス矯正装置の一例の概念図である。
【図８】身体の屈曲・伸展を説明するための図である。
【図９】本発明の第１実施形態に係る旋回角度測定装置のアタッチメントの一例の平面図である。
【図１０】本発明の第１実施形態に係る旋回角度測定装置のアタッチメントの一例の側面図である。
【図１１】本発明の第１実施形態に係る旋回角度測定装置の回転部材とアタッチメントとの係合構造を示す説明図である。
【図１２】身体の外転・内転を説明するための図である。
【図１３】本発明の第１実施形態に係る旋回角度測定装置のアタッチメントの一例の平面図である。
【図１４】本発明の第１実施形態に係る旋回角度測定装置のアタッチメントの一例の側面図である。
【図１５】本発明の第１実施形態に係る旋回角度測定装置と印刷手段との関係を示した概念図である。
【発明を実施するための形態】
【００２１】
本発明の第１実施形態に係る旋回角度測定装置、旋回角度測定方法及び軸足測定方法について、図面を参照して説明する。
【００２２】
（旋回角度測定装置）
先ず、旋回角度測定装置について説明する。
【００２３】
図１及び図２に示すように、旋回角度測定装置１０は、上部回転部材１２を備えている。上部回転部材１２は、下部支持部材１４により３６０度回転可能に支持されている。詳細には、上部回転部材１２及び下部支持部材１４の内部には、複数の突起部１６、１８がそれぞれ設けられており、これらの突起部１６、１８の間にボール２０が介在されている。このため、上部回転部材１２は、床上に固定された下部支持部材１４に対して中心軸２２の軸回りに回転する。突起部１６、１８とボール２０とにより、ボールベアリング機能を実現している。
【００２４】
上部回転部材１２は、外観視にて円盤状に形成されている。上部回転部材１２の上面１２Ａは、身体が接触する部分である。上部回転部材１２の上面中心には、回転中心となる中心軸２２が貫通している。また、上部回転部材１２の上面１２Ａには、縦軸センター位置を示す縦軸突起部２４と、横軸センター位置を示す横軸突起部２６と、が設けられている。このため、上部回転部材１２の上面１２Ａに身体を接触されると、縦軸突起部２４及び横軸突起部２６が身体に引っ掛かり、身体の上部回転部材１２を回転させようとする力（回転駆動力）が上部回転部材１２に効率良く伝達する。
【００２５】
また、縦軸突起部２４及び横軸突起部２６を滑りにくい素材（摩擦係数の高い素材）で構成することにより、身体と縦軸突起部２４及び横軸突起部２６との間で発生する摩擦力が高くなる。これにより、身体が上部回転部材１２の上面１２Ａを滑ることを防止できる。この結果、身体と上部回転部材１２を一体的に回転させることができる。
【００２６】
上部回転部材１２の外周面には、回転角度を示すポインター部２８が設けられている。ポインター部２８は、縦軸センター位置の延長線上に位置するように設けられている。上部回転部材１２が中心軸２２の軸回りに回転すると、ポインター部２８が下部支持部材１４に設けられた回転角度表示板３０上を回転移動するとともに、回転角度目盛３２の所定の位置を指し示す。
【００２７】
上部回転部材１２の外周面の一部には、各種アタッチメントを取り付けるための取付孔３４が形成されている。
【００２８】
図２、図３及び図４に示すように、下部支持部材１４の中心部には、中心軸２２が貫通している。下部支持部材１４の外周部には、回転角度表示板３０が設けられている。回転角度表示板３０の上面には、回転角度表示板３０の円周に沿って、回転角度目盛３２が連続表示されている。
【００２９】
回転角度表示板３０には、ガイド孔３６が形成されている。ガイド孔３６は、回転角度目盛３２の内周側（１周）に沿って連続して形成されている。ガイド孔３６には、最大外旋回角度を決定するための外旋回角度記録部材３８がガイド孔３６に沿って移動可能となるように配置されている。また、ガイド孔３６には、最大内旋回角度を決定するための内旋回角度記録部材４０がガイド孔３６に沿って移動可能となるように配置されている。
【００３０】
外旋回角度記録部材３８は、ポインター部２８が接触するとともに回転角度目盛３２の所定の位置を示す回転角度指示部３８Ａと、回転角度指示部３８Ａの底部に設けられガイド孔３６を貫通する軸部３８Ｂと、回転角度指示部３８Ａが所定の位置で停止した状態を維持するための固定部３８Ｃと、で構成されている。軸部３８Ｂと固定部３８Ｃとは、いわゆるボルトとナットのように、両者が螺合できるように構成されている。このため、固定部３８Ｃを強く締付けていくと、やがて回転角度表示板３０が回転角度指示部３８Ａと固定部３８Ｃとで挟まれて、外旋回角度記録部材３８が回転角度表示板３０の所定の位置で固定される。
【００３１】
内旋回角度記録部材４０は、ポインター部２８が接触するとともに回転角度目盛３２の所定の位置を示す回転角度指示部４０Ａと、回転角度指示部４０Ａの底部に設けられガイド孔３６を貫通する軸部４０Ｂと、回転角度指示部４０Ａが所定の位置で停止した状態を維持するための固定部４０Ｃと、で構成されている。軸部４０Ｂと固定部４０Ｃは、いわゆるボルトとナットのように、両者が螺合できるように構成されている。このため、固定部４０Ｃを強く締付けていくと、やがて回転角度表示板３０が回転角度指示部４０Ａと固定部４０Ｃとで挟まれて、内旋回角度記録部材４０が回転角度表示板３０の所定の位置で固定される。
【００３２】
なお、外旋回角度記録部材３８と内旋回角度記録部材４０とは、同一の構成である。
【００３３】
（身体のバランス矯正装置）
次に、身体のバランス矯正装置について説明する。
【００３４】
身体のバランス矯正装置４２は、上記した旋回角度測定装置１０と、バランス矯正用アタッチメントと、で構成されている。バランス矯正用アタッチメントは、例えば、旋回角度測定装置１０を故意に不安定な姿勢にするためのものであり、下部支持部材１４の底部に着脱可能に取り付けられる。
【００３５】
バランス矯正用アタッチメント側に凸部又は凹部を設け、下部支持部材１４側に凹部又は凸部を設け、両者の凸部と凹部とが係合するように構成してもよい。また、バランス矯正用アタッチメント側に「めねじ部」又は「おねじ部」を設け、下部支持部材１４側に「おねじ部」又は「めねじ部」を設け、両者の「おねじ部」と「めねじ部」を螺合して組み立ててもよい。
【００３６】
ここで、バランス矯正用アタッチメントの一例として、図５に示す湾曲型アタッチメント４４と、図６に示す三角型アタッチメント４６と、図７に示す加圧型アタッチメント４８と、がある。
【００３７】
図５に示すように、湾曲型アタッチメント４４は、湾曲部４４Ａを有するものであり、下部支持部材１４に着脱可能に取り付けられる。この湾曲部４４Ａが床上に載置され、旋回角度測定装置１０が湾曲型アタッチメント４４によって支持される。このため、旋回角度測定装置１０が３軸方向に関して不安定な状態になる。
【００３８】
図６に示すように、三角型アタッチメント４６は、側面視にて三角部４６Ａを有するものであり、下部支持部材１４に着脱可能に取り付けられる。この三角部４６Ａが床上に載置され、旋回角度測定装置１０が三角型アタッチメント４６によって支持される。このため、旋回角度測定装置１０が２軸方向又は３軸方向に関して不安定な状態になる。
【００３９】
図７に示すように、加圧型アタッチメント４８は、ばね固定用土台部４８Ａと、ばね固定用土台部４８Ａに設けられた複数のコイルばね４８Ｂと、を有している。複数のコイルばね４８Ｂは、下部支持部材１４を下方から支持している。このばね固定用土台部４８Ａが床上に載置され、複数のコイルばね４８Ｂにより旋回角度測定装置１０が支持された状態になる。このため、旋回角度測定装置１０の上部回転部材１２の上面１２Ａに使用者が載ると、使用者がバランスを崩すことに伴うぐらつきにより、複数のコイルばね４８Ｂに作用する重力が個々に異なる。このため、コイルばね４８Ｂ毎の弾性変形量が変化する。この結果、旋回角度測定装置１０の上部回転部材１２の上面１２Ａに使用者が載ると、旋回角度測定装置１０は、３軸方向に関して不安定な状態になる。
【００４０】
（旋回角度測定方法）
次に、旋回角度測定装置１０を用いた旋回角度測定方法について説明する。
【００４１】
＜股関節の旋回角度の測定＞
図１に示すように、２つの旋回角度測定装置１０を用意する。そして、脊椎を真っ直ぐに伸ばし（背筋を伸ばして）かつ膝を曲げない体勢で、右足用の旋回角度測定装置１０の上部回転部材１２の上面１２Ａに右足を載せ、左足用の旋回角度測定装置１０の上部回転部材１２の上面１２Ａに左足を載せる。
【００４２】
次に、脊椎を真っ直ぐに伸ばし（背筋を伸ばして）かつ膝を曲げない体勢で、左右両足が同時に「逆ハの字」になるように、旋回角度測定装置１０の上部回転部材１２を同時に外旋回させる（図１中矢印α方向への回転）。そして、左右両足及び上部回転部材１２の外旋回の回転角度を測定する。
【００４３】
次に、脊椎を真っ直ぐに伸ばし（背筋を伸ばして）かつ膝を曲げない体勢で、左右両足が同時に「ハの字」になるように、旋回角度測定装置１０の上部回転部材１２を同時に内旋回（図１中矢印β方向への回転）させる。そして、左右両足及び上部回転部材１２の内旋回の回転角度を測定する。
【００４４】
なお、左右両足を同時に旋回させることに限られず、左右の足のいずれか一方ずつを旋回させるようにして、左右両足及び上部回転部材１２の旋回角度を測定してもよい。
【００４５】
このようにして、股関節の外旋回角度及び内旋回角度（股関節の旋回角度）を測定することができる。
【００４６】
＜肩関節の旋回角度の測定＞
図３に示すように、旋回角度測定装置１０の上部回転部材１２の上面１２Ａに左右のいずれかの肩部を接触させた状態で上部回転部材１２を肩部と共に回転させ、肩関節の屈曲時、伸展時、外転時、内転時の旋回角度を測定する。
【００４７】
具体的には、「肩関節の屈曲」とは、図８に示すように、上腕部を垂直に下げた状態（下垂状態）から前方に挙上する動作（所謂、「前にならえの動作」）をいう。肩関節の屈曲に関わる代表的な筋肉として、三角筋前部、大胸筋上部、烏口腕筋などがある。肩関節の屈曲の範囲は、０〜１８０°である。
【００４８】
「肩関節の伸展」とは、図８に示すように、上記屈曲した上腕部を下垂状態に戻す動作をいう。肩関節の伸展に関わる代表的な筋肉として、広背筋、大円筋、小円筋、三角筋後部などがある。肩関節の伸展の範囲は、０〜６０°である。
【００４９】
肩関節の屈曲時の旋回角度を測定する場合には、旋回角度測定装置１０の下部支持部材１４を垂直壁に固定する。そして、右肩関節の屈曲時の旋回角度を測定する場合には、使用者の正面に向って右肩の右方側から上部回転部材１２を右肩に当てる。上部回転部材１２を右肩に当てた状態を維持しながら、右上腕部を垂直に下げた状態（下垂状態）から前方に挙上する。これにより、上部回転部材１２が回転する。このときの上部回転部材１２の旋回角度を読み取ることにより、右肩関節の屈曲時の旋回角度を測定することができる。
【００５０】
右肩関節の伸展時の旋回角度を測定する場合には、使用者の正面に向って右肩の右方側から上部回転部材１２を右肩に当てる。上部回転部材１２を右肩に当てた状態を維持しながら、右上腕部を垂直に下げた状態（下垂状態）から後方側に挙上する。これにより、上部回転部材１２が回転（屈曲の場合と反対方向に回転）する。このときの上部回転部材１２の旋回角度を読み取ることにより、右肩関節の伸展時の旋回角度を測定することができる。
【００５１】
さらに、左肩関節の屈曲時の旋回角度を測定する場合には、使用者の正面に向って左肩の左方側から上部回転部材１２を左肩に当てる。上部回転部材１２を左肩に当てた状態を維持しながら、左上腕部を垂直に下げた状態（下垂状態）から前方に挙上する。これにより、上部回転部材１２が回転する。このときの上部回転部材１２の旋回角度を読み取ることにより、左肩関節の屈曲時の旋回角度を測定することができる。
【００５２】
左肩関節の伸展時の旋回角度を測定する場合には、使用者の正面に向って左肩の左方側から上部回転部材１２を左肩に当てる。上部回転部材１２を左肩に当てた状態を維持しながら、左上腕部を垂直に下げた状態（下垂状態）から後方側に挙上する。これにより、上部回転部材１２が回転（屈曲の場合と反対方向に回転）する。このときの上部回転部材１２の旋回角度を読み取ることにより、左肩関節の伸展時の旋回角度を測定することができる。
【００５３】
ここで、肩関節の屈曲時・伸展時の旋回角度を測定する場合には、専用の肩関節測定用アタッチメントを利用すると便利である。
【００５４】
図９及び図１０に示すように、肩関節測定用アタッチメント５０は、上部回転部材１２に着脱可能に取り付けられるアタッチメント本体５２と、アタッチメント本体５２に取り付けられ身体の各部位を位置決めするための一対の位置決め突起５４、Ａ５４Ｂと、位置決め突起５４Ａ、５４Ｂで位置決めされた身体の各部位をアタッチメント本体５２側に固定するための固定用バンド５６と、で構成されている。
【００５５】
図１１に示すように、アタッチメント本体５２の内周側には、フック部５８が形成されている。フック部５８が上部回転部材１２の取付孔３４と係合することにより、肩関節測定用アタッチメント５０を上部回転部材１２に容易に装着することができる。
【００５６】
固定用バンド５６は、一方側端部が一対の位置決め突起５４Ａ、５４Ｂの一方側（位置決め突起５４Ｂ）に固定されており、他方側端部（先端部）が一対の位置決め突起５４Ａ、５４Ｂの他方側（位置決め突起５４Ａ）に引っ掛けることができるように、構成されている。
【００５７】
肩関節の屈曲時・伸展時の旋回角度を測定する場合には、上腕部を一対の位置決め突起５４Ａ、５４Ｂの間に挿入して位置決めするとともに、固定用バンド５６で固定する。これにより、上腕部が位置決め用突起５４Ａ、５４Ｂから離脱することがない。このように、肩関節測定用アタッチメント５０を用いることにより、上腕部を確実に上部回転部材１２に対して固定することができるため、肩関節の屈曲時・伸展時に、上腕部からの回転力が上部回転部材１２に確実に伝達される。この結果、肩関節の屈曲時・伸展時の各動作に伴い、上部回転部材１２が回転するため、肩関節の屈曲時・伸展時の旋回角度を正確に測定することができる。
【００５８】
また、「肩関節の外転」とは、図１２に示すように、上腕部を垂直に下げた状態（下垂状態）から側方（外側）に挙上する動作をいう。肩関節の外転に関わる代表的な筋肉として、棘上筋、三角筋中部などがある。肩関節の外転の範囲は、０〜１８０°である。
【００５９】
「肩関節の内転」とは、図１２に示すように、上記外転した上腕部を下垂状態に戻す動作をいう。肩関節の内転に関わる代表的な筋肉として、広背筋、大円筋、大胸筋などがある。
【００６０】
右肩関節の外転時の旋回角度を測定する場合には、使用者の正面に向って右肩の前方側（正面側）から上部回転部材１２を右肩に当てる。上部回転部材１２を右肩に当てた状態を維持しながら、右上腕部を垂直に下げた状態（下垂状態）から側方側（外側）に挙上する。これにより、上部回転部材１２が回転する。このときの上部回転部材１２の旋回角度を読み取ることにより、右肩関節の外転時の旋回角度を測定することができる。
【００６１】
右肩関節の内転時の旋回角度を測定する場合には、使用者の正面に向って右肩の前方側（正面側）から上部回転部材１２を右肩に当てる。上部回転部材１２を右肩に当てた状態を維持しながら、右上腕部を垂直に下げた状態（下垂状態）から側方側（内側（胴体側））に挙上する。これにより、上部回転部材１２が回転する。このときの上部回転部材１２の旋回角度を読み取ることにより、右肩関節の内転時の旋回角度を測定することができる。
【００６２】
左肩関節の外転時の旋回角度を測定する場合には、使用者の正面に向って左肩の前方側（正面側）から上部回転部材１２を左肩に当てる。上部回転部材１２を左肩に当てた状態を維持しながら、左上腕部を垂直に下げた状態（下垂状態）から側方側（外側）に挙上する。これにより、上部回転部材１２が回転する。このときの上部回転部材１２の旋回角度を読み取ることにより、左肩関節の外転時の旋回角度を測定することができる。
【００６３】
左肩関節の内転時の旋回角度を測定する場合には、使用者の正面に向って左肩の前方側（正面側）から上部回転部材１２を左肩に当てる。上部回転部材１２を左肩に当てた状態を維持しながら、左上腕部を垂直に下げた状態（下垂状態）から側方側（内側（胴体側））に挙上する。これにより、上部回転部材１２が回転する。このときの上部回転部材１２の旋回角度を読み取ることにより、左肩関節の内転時の旋回角度を測定することができる。
【００６４】
ここで、肩関節の外転時・内転時の旋回角度を測定する場合には、上記した専用の肩関節測定用アタッチメント５０を利用することにより、正確に旋回角度を測定することができる。
【００６５】
上部回転部材１２を肩に当てる角度等を適宜調整することにより、肩関節の内旋時・外旋時の旋回角度を測定することも可能である。
【００６６】
＜左右両腕の尺骨の旋回角度の測定＞
旋回角度測定装置１０の上部回転部材１２の上面１２Ａに左右のいずれかの手を接触させた状態で上部回転部材１２を手と共に回転させて、手の尺骨の旋回角度を測定する。
【００６７】
具体的には、手の尺骨の旋回角度を測定する場合には、垂直壁に下部支持部材１４が固定された旋回角度測定装置１０の上部回転部材１２の上面１２Ａに対して、使用者の右手の手のひらを当てる。右肘を９０度に曲げた状態でかつ右手の手のひらを上部回転部材１２の上面１２Ａに当てた状態を維持しながら、上部回転部材１２を回転させる。このときの上部回転部材１２の旋回角度を読み取ることにより、右手の尺骨の旋回角度を測定することができる。
【００６８】
また、左手の尺骨の旋回角度を測定する場合には、垂直壁に下部支持部材１４が固定された旋回角度測定装置１０の上部回転部材１２の上面１２Ａに対して、使用者の左手の手のひらを当てる。左肘を９０度に曲げた状態でかつ左手の手のひらを上部回転部材１２の上面１２Ａに当てた状態を維持しながら、上部回転部材１２を回転させる。このときの上部回転部材１２の旋回角度を読み取ることにより、左手の尺骨の旋回角度を測定することができる。
【００６９】
ここで、左右両腕の尺骨の旋回角度を測定する場合には、専用の尺骨測定用アタッチメントを利用すると便利である。
【００７０】
図１３及び図１４に示すように、尺骨測定用アタッチメント６０は、上部回転部材１２に着脱可能に取り付けられるアタッチメント本体６２と、アタッチメント本体６２に取り付けられ把持するための把持部６４と、で構成されている。
【００７１】
アタッチメント本体６２の内周側には、フック部６６が形成されている。フック部６が上部回転部材１２の取付孔３４と係合することにより、尺骨測定用アタッチメント６０を上部回転部材１２に装着することができる。
【００７２】
上記尺骨測定用アタッチメント６０を用いることにより、使用者は、把持部６４を把持した状態で上部回転部材１２を旋回させることができる。これにより、尺骨の旋回と上部回転部材１２の旋回とが一体的なものになるため、尺骨の旋回角度を正確に測定することができる。
【００７３】
＜頸椎及び胸腰部の旋回角度の測定＞
旋回角度測定装置１０の上部回転部材１２を頭頂部に載せた状態で上部回転部材１２を頭頂部及び首部と共に回転させ、頸椎及び胸腰部の旋回角度を測定する。
【００７４】
具体的には、頸椎及び胸腰部の旋回角度を測定する場合には、旋回角度測定装置１０の上部回転部材１２を頭頂部に載せた状態で、頭頂部及び首部を左右両側に回転させる。このときの上部回転部材１２の旋回角度を読み取ることにより、頸椎及び胸腰部の旋回角度を測定することができる。
【００７５】
なお、頸椎及び胸腰部の旋回角度を測定する場合には、頭頂部を上部回転部材１２に固定するための専用の頭頂部用アタッチメント（図示省略）を利用することにより、頸椎及び胸腰部の旋回角度を正確に測定することができる。
【００７６】
（軸足測定方法）
次に、旋回角度測定装置１０を用いた軸足測定方法について説明する。
【００７７】
図１に示すように、右足用の旋回角度測定装置１０と左足用の旋回角度測定装置１０の合計２台を用意する。なお、初期状態において、各旋回角度測定装置１０のポインター部２８が０°の位置となるように設定されている。
【００７８】
そして、右足用の旋回角度測定装置１０の上部回転部材１２の上面１２Ａに、脊椎を真っ直ぐに伸ばし（背筋を伸ばして）かつ膝を曲げない体勢で、使用者の右足を載せる。また、左足用の旋回角度測定装置１０の上部回転部材１２の上面１２Ａに、脊椎を真っ直ぐに伸ばし（背筋を伸ばして）かつ膝を曲げない体勢で、使用者の左足を載せる。このとき、上部回転部材１２の上面１２Ａに足の裏が接触するように、それぞれの足を載せる。これにより、使用者は、右足用の旋回角度測定装置１０の上部回転部材１２の上面１２Ａに右足を載せ、左足用の旋回角度測定装置１０の上部回転部材１２の上面１２Ａに左足を載せた状態になっている。
【００７９】
次に、右足用の旋回角度測定装置１０の上部回転部材１２の上面１２Ａに右足を載せ、左足用の旋回角度測定装置１０の上部回転部材１２の上面１２Ａに左足を載せた状態で、かつ脊椎を真っ直ぐに伸ばし（背筋を伸ばして）かつ膝を曲げない体勢で、外旋回及び内旋回させる。すなわち、左右両足が使用者から見て「逆ハの字」状となるようにそれぞれ外旋回（図１中矢印α側）させ、その後、左右両足が使用者から見て「ハの字」状となるようにそれぞれ内旋回（図１中矢印β側）させる。
【００８０】
このとき、外旋回時には、各旋回角度測定装置１０の各上部回転部材１２が中心軸２２の軸回りにかつ外旋回側（図１中矢印α側）に回転するが、ポインター部２８が各旋回角度測定装置１０の各外旋回角度記録部材３８を押しながら、各上部回転部材１２が外旋回側に回転していく。これにより、各外旋回角度記録部材３８は、ポインター部２８に押されながら、回転角度表示板３０上をガイド孔３６に沿って移動する。そして、各外旋回角度記録部材３８は、各旋回角度測定装置１０の各上部回転部材１２が最も大きく回転した位置（最大外旋回角度の位置）で、ポインター部２８からの押圧力を受けなくなるため、停止する。
【００８１】
次に、内旋回時には、各旋回角度測定装置１０の各上部回転部材１２が中心軸２２の軸回りにかつ内旋回側（図１中矢印β側）に回転するが、ポインター部２８が各旋回角度測定装置１０の各内旋回角度記録部材４０を押しながら、各上部回転部材１２が内旋回側に回転していく。これにより、各内旋回角度記録部材４０は、ポインター部２８に押されながら、回転角度表示板３０上をガイド孔３６に沿って移動する。そして、各内旋回角度記録部材４０は、各旋回角度測定装置１０の各上部回転部材１２が最も大きく回転した位置（最大内旋回角度の位置）で、ポインター部２８からの押圧力を受けなくなるため、停止する。
【００８２】
これにより、使用者は、各外旋回角度記録部材３８の回転角度指示部３８Ａが示した回転角度目盛３２の値を読み取ることにより、左右両足の外旋回の最大外旋回角度を測定することができる。また、使用者は、各内旋回角度記録部材４０の回転角度指示部４０Ａが示した回転角度目盛３２の値を読み取ることにより、左右両足の内旋回の最大内旋回角度を測定することができる。
【００８３】
次に、右足の外旋回の最大外旋回角度と右足の内旋回の最大内旋回角度を合算する（右足の最大旋回角度の合算値）。また、左足の外旋回の最大外旋回角度と左足の内旋回の最大内旋回角度を合算する（左足の最大旋回角度の合算値）。
【００８４】
次に、右足の最大旋回角度の合算値と左足の最大旋回角度の合算値とを比較する。そして、左右の足のうち外旋回の最大外旋回角度と内旋回の最大内旋回角度を合算した値（最大旋回角度の合算値）が大きい側の足を軸足に決定する。すなわち、右足の最大旋回角度の合算値＞左足の最大旋回角度の合算値であれば、右足が軸足になる。また、右足の最大旋回角度の合算値＜左足の最大旋回角度の合算値であれば、左足が軸足になる。
【００８５】
（旋回角度測定装置１０を用いた身体のバランス矯正方法）
次に、旋回角度測定装置１０を用いた身体のバランス矯正方法について説明する。身体のバランス矯正方法では、１つの旋回角度測定装置１０を使用する。
【００８６】
先ず、旋回角度測定装置１０を用いた軸足測定方法によって決定した軸足を旋回角度測定装置１０の上部回転部材１２の上面１２Ａに載せる。すなわち、右足を軸足に決定した場合には、右足を旋回角度測定装置１０の上部回転部材１２の上面１２Ａに載せる。また、左足を軸足に決定した場合には、左足を旋回角度測定装置１０の上部回転部材１２の上面１２Ａに載せる。
【００８７】
軸足側の反対側の足は、旋回角度測定装置１０の上部回転部材１２の上面１２Ａに載せることなく、空中に浮いたような体勢にする。すなわち、右足を軸足に決定した場合には、右足を旋回角度測定装置１０の上部回転部材１２の上面１２Ａに載せ、左足を空中に浮かせた状態にする。また、左足を軸足に決定した場合には、左足を旋回角度測定装置１０の上部回転部材１２の上面１２Ａに載せ、右足を空中に浮かせた状態にする。
【００８８】
そして、空中に浮かせた足で、サッカーボールを蹴るような振り子動作（前後に振る動作：キックの素振り）を行う。すなわち、右足を軸足に決定した場合には、右足を旋回角度測定装置１０の上部回転部材１２の上面１２Ａに載せ、左足を前後に振る動作を行う。また、左足を軸足に決定した場合には、左足を旋回角度測定装置１０の上部回転部材１２の上面１２Ａに載せ、右足を前後に振る動作を行う。
【００８９】
ここで、軸足側と反対側の足を前後に振ると、使用者の身体バランスの変化により、軸足側が旋回角度測定装置１０の上部回転部材１２と共に外旋回及び内旋回を行う。すなわち、左足を前後に振る動作を行うと、軸足となる右足が旋回角度測定装置１０の上部回転部材１２と共に外旋回及び内旋回する。また、右足を前後に振る動作を行うと、軸足となる左足が旋回角度測定装置１０の上部回転部材１２と共に外旋回及び内旋回する。
【００９０】
このとき、軸足の最大外旋回角度と最大内旋回角度とを測定して、軸足のバランスを測定する。軸足の最大外旋回角度及び最大内旋回角度（あるいは、これらの合算値）が小さい値であればあるほど、軸足のバランス感覚が良いことになる。一方、軸足の最大外旋回角度及び最大内旋回角度が大きい値（あるいは、これらの合算値）であればあるほど、軸足のバランス感覚が悪いことになる。このようにして、身体バランスのばらつきを測定することができる。
【００９１】
さらに、軸足を旋回角度測定装置１０の上部回転部材１２の上面１２Ａに載せ、軸足側と反対側の足を前後に振る振り子動作を反復して行うことにより、身体のバランス感覚を鍛えるトレーニングが可能になる。身体のバランス感覚が良くなれば、軸足の最大外旋回角度及び最大内旋回角度が小さい値になる。このようにして、自身の身体のバランス感覚の向上をその都度確認しながら、身体のバランスを矯正することができる。
【００９２】
また、外旋回角度記録部材３８及び内旋回角度記録部材４０が所定の位置で固定するように固定部３８Ｃ、４０Ｃを調整することにより、身体のバランスが大きく崩れてしまうことがない。すなわち、軸足を旋回角度測定装置１０の上部回転部材１２の上面１２Ａに載せ、軸足側と反対側の足を前後に振る動作を行うことにより、軸足が旋回角度測定装置１０の上部回転部材１２と共に外旋回及び内旋回するが、旋回角度測定装置１０の上部回転部材１２の旋回角度が、外旋回角度記録部材３８及び内旋回角度記録部材４０によって制限されているため、旋回角度測定装置１０の上部回転部材１２が所定の回転角度以上に旋回し過ぎることはない。この結果、身体のバランス感覚が悪い使用者にとっても、何ら不安を抱くことなく、トレーニングに集中することができる。また、旋回角度測定装置１０の上部回転部材１２の旋回角度が、外旋回角度記録部材３８及び内旋回角度記録部材４０によって制限された状態で、トレーニングすることにより、強いボールを蹴ることができるような効果的なトレーニングを実行できる。
【００９３】
なお、旋回角度測定装置１０を用いた身体のバランス矯正方法では、軸足側と反対側の足の振り子動作のみを行って、身体のバランスを矯正する方法を説明したが、軸足側と反対側の足の振り子動作だけに限られるものではなく、左右両足の振り子動作をそれぞれ行い、身体のバランスを矯正するようにしてもよい。
【００９４】
（身体のバランス矯正装置４２を用いた身体のバランス矯正方法）
次に、身体のバランス矯正装置４２を用いた身体のバランス矯正方法について説明する。
【００９５】
図５に示す湾曲型アタッチメント４４が装着された身体のバランス矯正装置４２を用いて身体のバランスを矯正する方法について説明する。
【００９６】
この場合には、湾曲型アタッチメント４４の湾曲部４４Ａが床上に載置された状態にして、旋回角度測定装置１０を３軸方向に関して不安定な状態にする。そして、上部回転部材１２の上面１２Ａに使用者の左右両足又は軸足を載せる。このような不安定な旋回角度測定装置１０上で、使用者が身体のバランスをとるようにトレーニングを行う。特に、上部回転部材１２の上面１２Ａに使用者の軸足を載せた場合には、軸足側と反対側の足を前後に振るようにしてもよい。これにより、使用者の身体のバランス感覚が発達し、身体のバランスを矯正することができる。
【００９７】
図６に示す三角型アタッチメント４６が装着された身体のバランス矯正装置４２を用いて身体のバランスを矯正する方法について説明する。
【００９８】
この場合には、三角型アタッチメント４６の三角部４６Ａが床上に載置された状態にして、旋回角度測定装置１０を２軸方向又は３軸方向に関して不安定な状態にする。そして、上部回転部材１２の上面１２Ａに使用者の左右両足又は軸足を載せる。このような不安定な旋回角度測定装置１０上で、使用者が身体のバランスをとるようにトレーニングを行う。特に、上部回転部材１２の上面１２Ａに使用者の軸足を載せた場合には、軸足側と反対側の足を前後に振るようにしてもよい。これにより、使用者の身体のバランス感覚が発達し、身体のバランスを矯正することができる。
【００９９】
図７に示す加圧型アタッチメント４８が装着された身体のバランス矯正装置４２を用いて身体のバランスを矯正する方法について説明する。
【０１００】
この場合には、加圧型アタッチメント４８のばね固定用土台部４８Ａが床上に載置され、旋回角度測定装置１０が複数のコイルばね４８Ｂで支持されるようにして、旋回角度測定装置１０を３軸方向に関して不安定な状態にする。そして、上部回転部材１２の上面１２Ａに使用者の左右両足又は軸足を載せる。このような不安定な旋回角度測定装置１０上で、使用者が身体のバランスをとるようにトレーニングを行う。特に、上部回転部材１２の上面１２Ａに使用者の軸足を載せた場合には、軸足側と反対側の足を前後に振るようにしてもよい。これにより、使用者の身体のバランス感覚が発達し、身体のバランスを矯正することができる。
【０１０１】
また、上部回転部材１２の上面１２Ａに使用者が載り、上部回転部材１２を旋回させてバランスをとるようなトレーニングを行うと、複数のコイルばね４８Ｂの弾性力が抵抗力となって旋回角度測定装置１０を介して使用者の足に作用する。これにより、脚力も同時に鍛えることができる。
【０１０２】
また、図１５に示すように、旋回角度測定装置１０に、上部回転部材１２の回転角度を検出するロータリーエンコーダ７０と、ロータリーエンコーダ７０で検出された上部回転部材１２の回転角度に関するデータを記憶する記憶手段（ＲＯＭ又はＲＡＭなど）７２と、を設け、ロータリーエンコーダ７０で検出された上部回転部材１２の回転角度に関するデータ（外旋回角度、内旋回角度、最大外旋回角度、最大内旋回角度などの情報）を印刷装置７４で印刷するようにしてもよい。  
【０１０３】
なお、印刷装置７４は、旋回角度測定装置１０に設けられていてもよく、あるいは、旋回角度測定装置１０の外部に設けられ旋回角度測定装置１０からの信号出力により印刷できるように構成してもよい。
【０１０４】
以上のように、本実施形態によれば、アスリートである使用者が一人でトレーニングすることができるため、スポーツトレーナーの手助け不必要になるとともに、時間・場所を問わず、いつでも、どこでもトレーニングすることができる。また、使用者の身体の柔軟性及びバランス感覚を高めることができる。
【符号の説明】
【０１０５】
１０    旋回角度測定装置
１２    上部回転部材（回転部材）
１４    下部支持部材（支持部材）
２８    ポインター部（回転角度指示部材）
３０    回転角度表示板（回転角度目盛部材）
３２    回転角度目盛
３６    ガイド孔
３８    外旋回角度記録部材（回転角度記録部材、固定部材）
４０    内旋回角度記録部材（回転角度記録部材、固定部材）
４２    身体のバランス矯正装置
４４    湾曲型アタッチメント（治具）
４６    三角型アタッチメント（治具）
４８    加圧型アタッチメント（治具）
５０    肩関節測定用アタッチメント（アタッチメント）
６０    尺骨測定用アタッチメント（アタッチメント）
７０    ロータリーエンコーダ（回転角度検出手段）
７２    記憶手段
７４    印刷装置（印刷手段）
【図１】
2014076068.tif 000003
【図２】
2014076068.tif 000004
【図３】
2014076068.tif 000005
【図４】
2014076068.tif 000006
【図５】
2014076068.tif 000007
【図６】
2014076068.tif 000008
【図７】
2014076068.tif 000009
【図８】
2014076068.tif 000010
【図９】
2014076068.tif 000011
【図１０】
2014076068.tif 000012
【図１１】
2014076068.tif 000013
【図１２】
2014076068.tif 000014
【図１３】
2014076068.tif 000015
【図１４】
2014076068.tif 000016
【図１５】
2014076068.tif 000017